(57)【要約】【課題】ユーザエリアと異なるＢＣＡやシステムリードインエリア等の特定領域へのアクセスを、短時間で効率良く、かつ正確に行うことができる情報再生装置を提供する。【解決手段】本発明に係る情報再生装置１、ユーザデータが記録された第１の領域と第１の領域と異なる密度で情報が記録された第２の領域とを具備する情報記憶媒体を再生する情報再生装置において、光ピックアップを第１の領域から第２の領域に向かって径方向に移動させる移動部と、光ピックアップから出力される信号から第１の領域と第２の領域の特徴をしめす特徴信号を生成する特徴信号生成部と、特徴信号から第１の領域と第２の領域の特徴を示す特徴量を抽出する特徴量抽出部と、第１の領域で得られる特徴量と第２の領域で得られる特徴量の差異が所定の閾値を超えた場合、光ピックアップが第１の領域から第２の領域の内部に移動したと判定する移動判定部と、を備えたことを特徴とする。【選択図】  図１
2007035196.tif 000002
【特許請求の範囲】
【請求項１】
ユーザデータが記録された第１の領域と前記第１の領域と異なる密度で情報が記録された第２の領域とを具備する情報記憶媒体を再生する情報再生装置において、
光ピックアップを前記第１の領域から前記第２の領域に向かって前記情報記憶媒体の径方向に移動させる移動部と、
前記光ピックアップから出力される信号から前記第１の領域と前記第２の領域の特徴を示す特徴信号を生成する特徴信号生成部と、
前記特徴信号から、前記第１の領域と前記第２の領域の特徴を示す特徴量を抽出する特徴量抽出部と、
前記第１の領域で得られる前記特徴量と前記第２の領域で得られる前記特徴量の差異が所定の閾値を超えた場合、前記光ピックアップが前記第１の領域から前記第２の領域の内部に移動したと判定する移動判定部と、
を備えたことを特徴とする情報再生装置。
【請求項２】
前記特徴信号生成部は、前記光ピックアップから出力される和信号から、前記和信号の振幅を検波したリップル信号を前記特徴信号として抽出し、
前記特徴量抽出部は、前記リップル信号のリップル振幅値を特徴量として抽出する、
ことを特徴とする請求項１に記載の情報再生装置。
【請求項３】
前記特徴信号生成部は、前記光ピックアップから出力される和信号から、前記和信号の振幅を検波したリップル信号を前記特徴信号として抽出し、
前記特徴量抽出部は、前記リップル信号のリップル幅を特徴量として抽出する、
ことを特徴とする請求項１に記載の情報再生装置。
【請求項４】
前記特徴信号生成部は、前記光ピックアップから出力される和信号から、前記和信号を平滑した平滑信号を前記特徴信号として抽出し、
前記特徴量抽出部は、前記平滑信号の平均値を特徴量として抽出する、
ことを特徴とする請求項１に記載の情報再生装置。
【請求項５】
前記特徴信号生成部は、前記光ピックアップから出力されるトラッキング信号から、前記トラッキング信号を２値化したトラッキング２値化信号を前記特徴信号として抽出し、
前記特徴量抽出部は、前記トラッキング２値化信号のパルス幅を特徴量として抽出する、
ことを特徴とする請求項１に記載の情報再生装置。
【請求項６】
前記特徴信号生成部は、前記光ピックアップから出力される和信号を前記特徴信号として抽出し、
前記特徴量抽出部は、前記和信号の周波数を特徴量として抽出する、
ことを特徴とする請求項１に記載の情報再生装置。
【請求項７】
前記光ピックアップの移動は、フォーカスサーボをオンとした状態で移動させることを特徴とする請求項１に記載の情報再生装置。
【請求項８】
前記移動判定部は、所定の時間以上、前記所定の閾値を超えた場合、前記光ピックアップが前記第１の領域から前記第２の領域の内部に移動したと判定する、
ことを特徴とする請求項１に記載の情報再生装置。
【請求項９】
ユーザデータが記録された第１の領域と前記第１の領域と異なる密度で情報が記録された第２の領域とを具備する情報記憶媒体を再生する情報再生方法において、
光ピックアップを前記第１の領域から前記第２の領域に向かって前記情報記憶媒体の径方向に移動させる移動ステップと、
前記光ピックアップから出力される信号から前記第１の領域と前記第２の領域の特徴を示す特徴信号を生成する特徴信号生成ステップと、
前記特徴信号から、前記第１の領域と前記第２の領域の特徴をしめす特徴量を抽出する特徴量抽出ステップと、
前記第１の領域で得られる前記特徴量と前記第２の領域で得られる前記特徴量の差異が所定の閾値を超えた場合、前記光ピックアップが前記第１の領域から前記第２の領域の内部に移動したと判定する移動判定ステップと、
を備えたことを特徴とする情報再生方法。
【請求項１０】
前記特徴信号生成ステップは、前記光ピックアップから出力される和信号から、前記和信号の振幅を検波したリップル信号を前記特徴信号として抽出し、
前記特徴量抽出ステップは、前記リップル信号のリップル振幅値を特徴量として抽出する、
ことを特徴とする請求項９に記載の情報再生方法。
【請求項１１】
前記特徴信号生成ステップは、前記光ピックアップから出力される和信号から、前記和信号の振幅を検波したリップル信号を前記特徴信号として抽出し、
前記特徴量抽出ステップは、前記リップル信号のリップル幅を特徴量として抽出する、
ことを特徴とする請求項９に記載の情報再生方法。
【請求項１２】
前記特徴信号生成ステップは、前記光ピックアップから出力される和信号から、前記和信号を平滑した平滑信号を前記特徴信号として抽出し、
前記特徴量抽出ステップは、前記平滑信号の平均値を特徴量として抽出する、
ことを特徴とする請求項９に記載の情報再生方法。
【請求項１３】
前記特徴信号生成ステップは、前記光ピックアップから出力されるトラッキング信号から、前記トラッキング信号を２値化したトラッキング２値化信号を前記特徴信号として抽出し、
前記特徴量抽出ステップは、前記トラッキング２値化信号のエラー幅を特徴量として抽出する、
ことを特徴とする請求項９に記載の情報再生方法。
【請求項１４】
前記特徴信号生成ステップは、前記光ピックアップから出力される和信号を前記特徴信号として抽出し、
前記特徴量抽出ステップは、前記和信号の周波数を特徴量として抽出する、
ことを特徴とする請求項９に記載の情報再生方法。
【請求項１５】
前記光ピックアップの移動は、フォーカスサーボをオンとした状態で移動させることを特徴とする請求項９に記載の情報再生方法。
【請求項１６】
前記移動判定部は、所定の時間以上、前記所定の閾値を超えた場合、前記光ピックアップが前記第１の領域から前記第２の領域の内部に移動したと判定する、
ことを特徴とする請求項９に記載の情報再生方法。
【発明の詳細な説明】
【技術分野】
【０００１】
本発明は、情報再生装置、および情報再生方法に係り、特に、光ディスク等に記録された情報を再生する情報再生装置、および情報再生方法に関する。
【背景技術】
【０００２】
従来から、光ディスク等の情報記憶媒体では、映像・音声データや各種情報データ等のユーザデータを記録・再生するユーザエリアの他に、ＢＣＡ（Burst  Cutting  Area）と呼ばれる特殊な領域を備えて構成されている。
【０００３】
ＢＣＡは光ディスク等の記録面に、バーコード状にカットされた或いは色素を塗布された領域であり、光ディスク等の内周側の一部に、例えば約数ｍｍの極狭い幅のリング状領域として形成されている。
【０００４】
ＢＣＡには、光ディスク等の種別や識別情報等の光ディスク等を適正に再生するために重要な情報が記録されている。このため、ＢＣＡにおけるデータ記録の密度は、確実な読み取りを可能とするように通常のユーザエリアに比べて低いものとなっている。
【０００５】
また、近年次世代型ＤＶＤとして、例えばＨＤ  ＤＶＤ等においては、システムリードインエリアと呼ばれる領域が新たに設けられてきている。システムリードインエリアには、媒体の多様化に伴って増加してきた種別や識別情報の他、著作権等の保護のための情報が記録されるように規定されている。
【０００６】
システムリードインエリアは、ＢＣＡと同様に極狭い幅のリング状領域として形成されている。システムリードインエリアに対する情報の記録形態はＢＣＡとは異なるものの、データ記録の密度は、ＢＣＡと同様に確実な読み取りを可能とするため、通常のユーザエリアに比べて低いものとなっている。
【０００７】
システムリードインエリアへの効率的なアクセス方法に関する技術としてこれまで開示されている文献は発見できなかったが、例えば特許文献１には、システムリードインエリアと類似する従来のリードインエリアからユーザエリアへのアクセスに関する技術が開示されている。
【特許文献１】特開２００４−１２７３６８号公報
【発明の開示】
【発明が解決しようとする課題】
【０００８】
通常、光ディスク上のデータを再生するためには、光ピックアップの絶対位置を位置決めするだけでは不十分であり、光ディスクそのものの偏心やディスク固定時の軸ずれによる位置偏心を吸収するために、レーザスポットと情報トラックの相対誤差を制御する必要がある。
【０００９】
ユーザエリアでは、トラッキングエラーと呼ばれる情報トラックと光ピックアップとの相対位置誤差を検出する信号が得られることと、トラック上の情報に光ディスク上の物理位置を示すアドレス情報が含まれることから、これらを用いて比較的正確に相対誤差をなくすことができる。しかしながら、ＢＣＡの周辺は情報トラックが存在しない領域であり、正確にその位置を探索する適切な手段が無い。
【００１０】
また、送りモータの絶対位置精度が十分に有り、また高い再現性が得られるような場合には、絶対位置制御だけでＢＣＡ位置に光ピックアップを正確に合わせることも理論的には可能である。しかしながら、コスト上の制約から、高精度のＤＣモータを採用できない場合や、絶対位置の初期化を行うリミットスイッチ等を設けることができない場合には、送りモータの絶対位置精度だけでは不十分となる。
【００１１】
このため、ＢＣＡデータ読めるようになるまで、光ピップアップの絶対位置を少しずつずらしながらトライアルを繰り返す「手探りな」シーケンスが必要となる。
【００１２】
また、システムリードインエリアについても、ＢＣＡと同様に比較的狭い範囲に記録されていることと、ディスク製盤上の制約から、システムリードインエリアの両側に連続した記録領域がないため、ＢＣＡにアクセスする場合と同様に「手探りな」シーケンスが必要とされる。
【００１３】
「手探りな」シーケンスでは、光ピックアップの位置を動かしては再生するという動作を繰り返し行うことになるため、ＢＣＡやシステムリードインエリアにアクセスする時間が長くなる。また、ＢＣＡやシステムリードインエリアのデータが読み取れない場合に、エラーが多すぎて読み取れないのか、位置ずれによって読み取れないのか、或いはそもそもＢＣＡやシステムリードインエリアが存在しないディスクなのか、といった判定が困難になるという問題もある。このため、結果的には、必要以上にトライアルの繰り返し回数が増加しディスクの種類等の判定に時間を要することになってしまう。
【００１４】
また、最悪のケースでは、判定に失敗して読めるはずのディスクを再生不能と誤判定してしまう場合もあり得る。
【００１５】
本発明は、上記事情に鑑みてなされたもので、ユーザエリアと異なるＢＣＡやシステムリードインエリア等の特定領域へのアクセスを、短時間で効率良く、かつ正確に行うことができる情報再生装置および情報再生方法を提供することを目的とする。
【課題を解決するための手段】
【００１６】
本発明に係る情報再生装置は、上記課題を解決するため、請求項１に記載したように、ユーザデータが記録された第１の領域と前記第１の領域と異なる密度で情報が記録された第２の領域とを具備する情報記憶媒体を再生する情報再生装置において、光ピックアップを前記第１の領域から前記第２の領域に向かって前記情報記憶媒体の径方向に移動させる移動部と、前記光ピックアップから出力される信号から前記第１の領域と前記第２の領域の特徴をしめす特徴信号を生成する特徴信号生成部と、前記特徴信号から、前記第１の領域と前記第２の領域の特徴を示す特徴量を抽出する特徴量抽出部と、前記第１の領域で得られる前記特徴量と前記第２の領域で得られる前記特徴量の差異が所定の閾値を超えた場合、前記光ピックアップが前記第１の領域から前記第２の領域の内部に移動したと判定する移動判定部と、を備えたことを特徴とする。
【００１７】
また、本発明に係る情報再生方法は、上記課題を解決するため、請求項９に記載したように、ユーザデータが記録された第１の領域と前記第１の領域と異なる密度で情報が記録された第２の領域とを具備する情報記憶媒体を再生する情報再生方法において、光ピックアップを前記第１の領域から前記第２の領域に向かって前記情報記憶媒体の径方向に移動させる移動ステップと、前記光ピックアップから出力される信号から前記第１の領域と前記第２の領域の特徴をしめす特徴信号を生成する特徴信号生成ステップと、前記特徴信号から、前記第１の領域と前記第２の領域の特徴をしめす特徴量を抽出する特徴量抽出ステップと、前記第１の領域で得られる前記特徴量と前記第２の領域で得られる前記特徴量の差異が所定の閾値を超えた場合、前記光ピックアップが前記第１の領域から前記第２の領域の内部に移動したと判定する移動判定ステップと、を備えたことを特徴とする。
【発明の効果】
【００１８】
本発明に係る情報再生装置、および情報再生方法によれば、ユーザエリアと異なるＢＣＡやシステムリードインエリア等の特定領域へのアクセスを、短時間で効率良く、かつ正確に行うことができる。
【発明を実施するための最良の形態】
【００１９】
本発明に係る情報再生装置および情報再生方法の実施形態について添付図面を参照して説明する。
【００２０】
（１）第１の実施形態
図１は、第１の実施形態に係る情報再生装置１のシステム構成例を示す図である。
【００２１】
情報再生装置１は、光ディスク１００を回転駆動させるスピンドルモータ２、対物レンズ５やレンズアクチュエータ４等を光ディスク１００の径方向に駆動させる送りモータ３（移動部）、光ディスク１００からの反射光を電気信号に変換する光電変換部６、光電変換部６から出力される信号に基づいてフォーカス誤差信号やトラッキング誤差信号を生成する誤差検出部７、フォーカス誤差信号やトラッキング誤差信号に基づいてサーボ制御を行うサーボコントローラ８、サーボコントローラ８から出力される制御信号から送りモータ３やレンズアクチュエータ４の駆動信号を生成するドライバ部９を備える。
【００２２】
また、情報再生装置１は、光電変換部６から出力されるＲＦ信号や誤差検出部７から出力されるトラッキングエラー信号から特徴信号を生成する特徴信号生成部１０、特徴信号から特徴量を抽出する特徴量抽出部２０、特徴量から送りモータ３の移動或いは停止の可否を判定する移動判定部３０を備える。
【００２３】
図２は、情報再生装置１が再生する光ディスク１００の一例としてのＨＤ  ＤＶＤの記録フォーマットを模式的に示す図である。図２の左側が光ディスク１００の内周側、図２の右側が光ディスク１００の外周側に相当する。
【００２４】
光ディスク１００の大部分を占める領域が、映像・音声信号や各種情報データが記録される広義のデータエリア（第１の領域）である。データエリアはその用途によってデータリードインエリア、およびデータリードアウトエリア等を含むが物理構造は同一である。
【００２５】
一方、光ディスク１００の内周側には、コネクションエリアを介してシステムリードインエリアと呼ばれる領域と、さらにコネクションエリアを介してＢＣＡと呼ばれる領域が設けられている。システムリードインエリアとＢＣＡ（第２の領域）は実際には非常に細いリング状の領域であり、データエリアとは異なった物理構造を有している。
【００２６】
ＢＣＡは、光ディスク１００の記録面にバーコード状にカットされた、或いは色素を塗布した領域で、ディスクドライブの起動後に迅速に知る必要がある情報、例えばディスクの種類等の情報が記録されている。
【００２７】
システムリードインエリアは、トラックピッチ、およびピットサイズ等がデータエリアよりも大きめに形成されている領域で、ディスク種類の詳細を示す情報や、著作権に関する情報が記録されている。なお、ＢＣＡには、システムリードインエリアよりもさらに低い記録密度で情報が記録されている。
【００２８】
次に、情報再生装置１の光電変換部６、或いは誤差検出部７から出力される信号の内容について説明する。
【００２９】
図３は、横軸に、ビームスポット３０４が光ディスク１００の径方向に移動する変位量をとったときの各種出力信号の波形を示した図である。
【００３０】
上段のＲＦ信号３０７は、和信号とも呼ばれる信号で光ディスク１００上に記録された情報の再生に用いられる信号である。細かな変動は、拡大するとＲＦ信号（拡大）３０９となっており、トラック上のピットとして記録された「０」、「１」のデジタル信号に対応したものである。ＲＦ信号３０７の包絡線の振幅は、トラック中心で最も大きくなり、トラック間の中央で最も小さくなる。ＲＦ信号３０７は、光電変換部６から出力され後段のデータ再生系（図示せず）へ入力される他、情報再生装置１の特徴信号生成部１００へ入力される。
【００３１】
２段目のリップル信号３０８は、ＲＦ信号３０７を振幅検波、例えばピーク検波した波形である。ＲＦ信号３０７の包絡線と同様に、トラック中心で最も大きくなり、トラック間の中央で最も小さくなる。
【００３２】
なお、リップル信号３０８は、後述するようにデータエリアとシステムリードインエリア等（以下、ＢＣＡとシステムリードインエリアとを含めて単にシステムリードインエリア等という）とでは波形が異なっており、それぞれの領域の特徴量を抽出することが可能であるため特徴信号と呼ぶことがある。リップル信号３０８は、特徴信号生成部１００においてＲＦ信号３０７から生成される（この場合、振幅検波によって生成される）。
【００３３】
３段目のトラッキングエラー信号３０１は、情報再生装置１の誤差検出部７において、光電変換部６の出力信号から生成されるものあり、位相検出法、プッシュプル法等の演算によって得られる。ビームスポット３０４の変位量に応じて略三角関数状の波形を示す。トラック中心３０６の近傍では変位量に比例する線形な誤差信号が得られるが、半トラック離れると逆の傾きを持つ信号となり、隣接トラックでは再び線形な誤差信号となる。
【００３４】
図４は、データエリアからシステムリードインエリアに向けて、光ピックアップを送りモータ３で移動させるときに得られるＲＦ信号４０１と、リップル信号４０２の波形を示したものである。
【００３５】
システムリードインエリアのトラックピッチとピット幅がデータエリアに比べて大きいことから、ＲＦ信号４０１の振幅とリップル信号４０２の振幅は、システムリードインエリアの方がデータエリアに比べて大きくなる性質を持っている。また、未記録領域であるコネクションエリアは鏡面領域であり、反射率が高いためＲＦ信号４０１としてはレベルが高くなる。この特徴を利用してシステムリードインエリアを探索することができる。
【００３６】
図６は、第１の実施形態に係る情報再生装置１において、システムリードインエリアを探索する動作例を示したフローチャートである。
【００３７】
まず、データエリアに光ピックアップを移動させる（ステップＳＴ１）。データエリアは光ディスク１００のほとんどの領域を占めるため、送りモータ３の絶対位置制度だけで十分位置決めが可能である。
【００３８】
次に、フォーカスサーボをオンとする（ステップＳＴ２）。この動作によって、レーザビームのフォーカス位置が光ディスク１００の記録面と一致することとなり、光ピックアップからＲＦ信号（和信号）が出力される。ＲＦ信号は、特徴信号生成部１０において、リップル信号（特徴信号）に変換される（ステップＳＴ３）。
【００３９】
この状態でリップル信号からリップル振幅値を特徴量として抽出し、抽出したリップル振幅値を学習する（ステップＳＴ４）。特徴量としてのリップル振幅値は、情報再生装置１の特徴量抽出部２０において抽出される。
【００４０】
次に、送りモータ３をシステムリードインエリアの方向に略一定速度で送りつつ、リップル振幅値の変化を監視する（ステップＳＴ５）。
【００４１】
監視しているリップル振幅値が、一定時間以上、学習したデータエリアのリップル振幅値よりも大きくなった場合（ステップＳＴ６のｙｅｓ）には、光ピックアップがシステムリードインエリアに入ったと判断する。この判断は、移動判定部３０において行われる。
【００４２】
その後、送りモータ３を停止し（ステップＳＴ９）、トラッキングサーボをオンとする（ステップＳＴ１０）。トラッキングサーボのオンにより、システムリードインエリアのデータ読み出しが可能となる。
【００４３】
図５は、データエリアで学習したリップル振幅値と、システムリードインエリアで得られるリップル振幅値の関係を示した図である。システムリードインエリアで得られるリップル振幅値とデータエリアで学習したリップル振幅値との相対値、例えば比が所定の閾値を所定時間越えたときに、光ピックアップがシステムリードインエリアに入ったと判断する。
【００４４】
システムリードインエリアにおけるリップル振幅値の絶対値のみで判定する方法も考えられるが、一般にリップル振幅値の絶対値は光ディスクの種類や個体差によってばらつきを持つ。このため、データエリアでリップル振幅値を学習し、その値との相対値で判定する方が判定の信頼性が高くなる。また、その判定は、瞬時に判定するよりも一定時間、例えば連続して閾値を超えたか否かを判定することよって、さらに信頼性は高くなる。
【００４５】
本実施形態に係る情報再生装置１によれば、ユーザエリアからシステムリードインエリア等へのアクセスを、短時間で効率良く、かつ正確に行うことができる。
【００４６】
なお、コネクションエリアの開始点から一定の距離離れれば、システムリードインエリアと判断すると言う手法も考えられる。しかしながら、次世代型ＤＶＤ、例えばＨＤ  ＤＶＤでは、ディスク製作過程上の制約から、コネクションエリアの物理的な長さは、一定の上限はあるものの、正確には規定されていない。このため、コネクションエリアの開始点からの距離による判定は不確実性が排除できない。本実施形態によれば、次世代型ＤＶＤ、例えばＨＤ  ＤＶＤに対しても問題なく対応できる。
【００４７】
第１の実施形態では、特徴信号としてリップル信号を、また特徴量としてリップル信号の振幅値を用いた形態としている。以下に、特徴信号や特徴量として他の信号を用いた実施形態について説明する。
【００４８】
（２）他の実施形態
以下に説明する実施形態では、システム構成および動作のフローは第１の実施形態と同様のものであり、特徴信号と特徴量とが相違するだけである。従って、特徴信号と特徴量を中心にして説明する。
【００４９】
図７は、第２の実施形態における特徴信号と特徴量とを示した図である。第２の実施形態では、特徴信号として、ＲＦ信号の平均値（平滑信号）を用いている。また、特徴量として、ＲＦ信号の平均値のレベル値（平滑信号の平均値）を用いている。図６から分かるように、このレベル値は、データエリアでは低く、システムリードインエリアでは高くなる。この特徴を用いて、両エリアでのレベル値の比と所定の閾値とを比較判定することによって、光ピックアップがシステムリードインエリアに入ったことを判定することができる。
【００５０】
図８は、第３の実施形態における特徴信号と特徴量とを示した図である。第３の実施形態では、特徴信号として、リップル２値化信号を用いている。また、特徴量として、リップル２値化信号から抽出したリップル幅を用いている。
【００５１】
前述したように、システムリードインエリアのトラック間隔はデータエリアのトラック間隔よりも広い。このため、図８に示したように、リップル信号のリップル幅は、データエリアでは小さく、システムリードインエリアでは大きくなる。この特徴を用いて、両エリアでのリップル幅の比と所定の閾値とを比較判定することによって、光ピックアップがシステムリードインエリアに入ったことを判定することができる。
【００５２】
なお、特徴信号としてリップル２値化信号を用いる理由は、リップル幅の抽出を容易にするためである。
【００５３】
図９は、第４の実施形態における特徴信号と特徴量とを示した図である。第４の実施形態では、特徴信号として、トラッキングエラー２値化信号を用いている。また、特徴量として、トラッキングエラー２値化信号から抽出したトラッキングエラー幅を用いている。
【００５４】
トラッキングエラー信号もトラック間隔に対応した変動を示すため、図９に示したように、トラッキングエラー信号のエラー幅は、データエリアでは小さく、システムリードインエリアでは大きくなる。この特徴を用いて、両エリアでのリップル幅の比と所定の閾値とを比較判定することによって、光ピックアップがシステムリードインエリアに入ったことを判定することができる。
【００５５】
なお、特徴信号としてトラッキングエラー２値化信号を用いる理由は、第３の実施形態と同様にエラー幅の抽出を容易にするためである。
【００５６】
図１０は、第５の実施形態における特徴信号と特徴量とを示した図である。第５の実施形態では、特徴信号として、ＲＦ信号自身を用いている。また、特徴量として、ＲＦ信号自身の周波数（包絡線の周波数ではない）を用いている。
【００５７】
データエリアとシステムリードインエリアとではピットのサイズが異なる。システムリードインエリアのピットサイズはデータエリアのピットサイズに比べて大きい。このため、同じ角速度で回転している場合に、データエリアからシステムリードインエリアに移動すると、ＲＦ信号の周波数は異なってくる。図１０に示したように、システムリードインエリアの周波数はデータエリアの周波数に比べて低い。この特徴を用いて、両エリアでのＲＦ信号の周波数の比と所定の閾値とを比較判定することによって、光ピックアップがシステムリードインエリアに入ったことを判定することができる。
【００５８】
ＲＦ信号の周波数は、図１のシステム構成例では特徴量抽出部２０で抽出している。しかしながら、一般に、データを同期再生する際にはＲＦ信号の周波数を測定する必要があり、特定パターンを検出してその間隔を測定し、或いは平均的な間隔を測定する検出回路を含んでいる場合が多い。その場合には同期再生用に検出したＲＦ信号の周波数を流用する形態としてもよい。
【００５９】
なお、本発明は上記の各実施形態そのままに限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【図面の簡単な説明】
【００６０】
【図１】本発明に係る情報再生装置の第１の実施形態のシステム構成例を示す図。
【図２】本発明に係る情報再生装置の実施形態が再生する光ディスクのデータフォーマットの一例を図。
【図３】本発明に係る情報再生装置の実施形態における光ピックアップからの出力信号の波形の概念を示す図。
【図４】本発明に係る情報再生装置の第１の実施形態における特徴信号と特徴量の第１の説明図。
【図５】本発明に係る情報再生装置の第１の実施形態における特徴信号と特徴量の第２の説明図。
【図６】本発明に係る情報再生装置の第１の実施形態における動作シーケンスの一例を示すフローチャート。
【図７】本発明に係る情報再生装置の第２の実施形態における特徴信号と特徴量の説明図。
【図８】本発明に係る情報再生装置の第３の実施形態における特徴信号と特徴量の説明図。
【図９】本発明に係る情報再生装置の第４の実施形態における特徴信号と特徴量の説明図。
【図１０】本発明に係る情報再生装置の第５の実施形態における特徴信号と特徴量の説明図。
【符号の説明】
【００６１】
１  情報再生装置
２  スピンドルモータ
３  送りモータ
４  レンズアクチュエータ
５  対物レンズ
６  光電変換部
７  誤差検出部
８  サーボコントローラ部
９  ドライバ部
１０  特徴信号生成部
２０  特徴量抽出部
３０  移動判定部
【図１】
2007035196.tif 000003
【図２】
2007035196.tif 000004
【図３】
2007035196.tif 000005
【図４】
2007035196.tif 000006
【図５】
2007035196.tif 000007
【図６】
2007035196.tif 000008
【図７】
2007035196.tif 000009
【図８】
2007035196.tif 000010
【図９】
2007035196.tif 000011
【図１０】
2007035196.tif 000012